(57)【要約】【課題】交叉リンクの機構を用いて確実に容易に操作出来る椅子を得る。シリングやガススプリングを使用しないで一連の動作をスム−スに行い、軽量化、低価格化を実現する。【解決手段】基台と、該基台の上側に位置した座板と、前記基台座板とを連結する側方視で略Ｘ字状のリンク部材とを備え、前記リンク部材は、一方の第一リンク棒の一端が前期台座の下部に回動自在にピン部材で連結されており、他端が座板に設けられた前後に移動可能な移動ブラケットに取り付けられており，他方の第二リンク棒の一端が座板に回動自在に連結されており、他端が調節ブラケットに設けられたガイドバ−に係合されて位置保持溝が複数設けらようにした。【選択図】図１
2019005528.tif 000002
【特許請求の範囲】
【請求項１】
基台と、該基台の上側に位置した座板と、前記基台座板とを連結する側方視で略Ｘ字状のリンク部材とを備えた椅子であって、前記リンク部材は、一方の第一リンク棒の一端が前期台座の下部に回動自在にピン部材で連結されており、他端が座板に設けられた前後に移動可能な移動ブラケットに取り付けられており，他方の第二リンク棒の一端が座板に回動自在に連結されており、他端が調節ブラケットに設けられたガイドバ−に係合されて位置保持溝が複数設けられていることを特徴とする椅子。
【請求項２】
前記位置保持溝ブラケットは、その上面から前記ガイド溝にむけて固定ピンが挿通可能なピンホ−ルが設けられており該ピンホ−ル前記係止溝に係合したガイドバ−の抜けを阻止する位置に設けられていることを特徴とする請求項１記載の椅子。
【請求項３】
下側固定ブラケットの上端と第一リンクの下端が接触することで、最下点の位置を決めることを特徴とする請求項１記載の椅子。
【発明の詳細な説明】
【技術分野】
【０００１】  本発明は日常的に使用する椅子に関する。対象となる椅子とは、座椅子、ダイニング椅子、ゆったりくつろげる椅子であり高さの調整が楽にできるものである。調節機能に関しては数段に高さ調整であれば十分であり位置の精度よりも、位置の変更を楽にするものである。
【背景技術】
【０００２】  従来の椅子は支点の位置をネジ送りによって正確に高さを変えるものがほとんどであり、操作のスピ−ドが遅い。高さ調整のための機械装置は一見便利そうに感じられるが、日常的に使用すると、潤滑材によるよごれ、故障の修繕などが煩わしいものである。【０００３】
【先行技術文献】
【特許文献】
【０００４】
【特許文献１】実公昭５３−１５５４４号
【特許文献２】特開平９−１９３２４号
【発明の概要】
【発明が解決しようとする課題】
【０００５】  従来技術はほとんどが、移動支点をねじ送りやガスシリンダなどの機械によって制御している。しかしながら日常生活で触れるものには、木材の温もりを求めて金属製の機械仕掛けを好まない需要者が少なくない。また省資源・省エネルギーの見地からも、日用品には単純な機構が見直されている。特許文献１と２では、ある程度これらの要求を満たしているものの、高さ調節の操作は未だ複雑であり、構造的にも木材に適したものではない。本願では、できるだけ木材を用いる単純な機構で、しかも確実かつ容易に操作できる昇降台を提供しようとするものである。
【課題を解決するための手段】
【０００６】  ２本のリンク棒をＸ字形に交叉させたリンクの対で座板を支える椅子において、上記の課題を解決するために、リンク対の対向する支点同士の組の一方を固定支点として他方の組を移動支点とする。移動支点の組の基台側か座板側のいずれかの移動支点対を、調節支点としてリンク交叉角すなわち座板の高さの調節を行わせる。調節支点の構造は、支点軸を保持するステップ状の調節溝を鋸歯状に、リンクの開閉方向に並べる。【０００７】  この構造によって、高さ調節操作は極めて単純かつ容易となった。すなわち、座板を持ち上げる際にリンクの交叉支点に作用する偶力の方向によって上昇と下降を切り替えることができる。しかしながら、使用中に予期しない外力が加わると思いがけないステップ移動のおそれがある。そこで、使用中に調節溝から調節支点軸が抜け出すのを防ぐために、調節支点の上側からロックピンを出し入れするようにした。【０００８】  一番低い状態での高さ調整は、下側固定ブラケットの上端と第一リンクの下端が接触するようにした。
【発明の効果】
【０００９】  本発明によって、高さの切り替えがきわめて単純な操作で可能となり、交叉リンクの機能を有効に利用することができるようになった。全てを人力で行うので電力を消費せず、かつ木材を最大限に使用できる構造を実現した。家具として長く使用しても、機構部の損耗による金属粉や潤滑剤による汚れを生じることがなく、作動時の不快な騒音などもない。これは、資源とエネルギーを節約しつつ生活の質の向上に資するものである。
【図面の簡単な説明】
【００１０】
【図１】  この発明の椅子の座面が２番目の高さの斜視図である。
【図２】  この発明の椅子の座面が下降した時の斜視図である。
【図３】  実施例１の座面が下降した時の断面図である。
【図４】  実施例１の座面が２番目に移行する前の断面図である。
【図５】  実施例１の座面が上昇した時の断面図である。
【図６】  実施例１の座面が上昇して下降する前の断面図である。
【図７】  実施例２の座面が２番目の高さでの裏側の斜視図である。
【図８】  実施例３の座面が下降した時の斜視図である。
【発明を実施するための形態】
【実施例１】
【００１１】  本実施例は、高さが容易に変換できる椅子であり、図１は椅子の２番目の高さの斜視図、図２は高さが一番低い時の斜視図、図３は高さが一番低い時の側面図、図４は高さが２番目の高さに移行する前の側面図である。【００１２】  まず図３ないし図４を用いて本願請求項１に関わるリンク構造について説明する。基台１の上に２の下側固定ブラケットが固着している。第一リンク棒の下端は２の下側固定ブラケット内にある１１回転軸に枢支されている。第一リンク棒の上端にある１４移動軸は、４の移動ブラケットの中にある穴１９の中を前後に移動できるようになっている。【００１３】  座板６の下側に固着している３の上側ブラケットは第二リンク棒の上端で１２の回転軸に枢支されている。第一リンク棒と第二リンク棒は１３の中心軸で回動自在に動く。第二リンク棒は、その下端に１５のピンがあり、このピンは調整ブラケットの中のある溝にはまる構造となっている。【００１４】  ５の調節ブラケットの中に２０の細長い空洞がありこの空洞の下側に溝２２、２５がある。図面ではこの溝が２個であるが、多く設定しても良い。この溝の数と同じだけの高さ調整が出来る。溝の裏面２１は空洞に対して垂直になっている。溝の前側は２３は４５度になっている。【００１５】  次に、本願実施例の操作方法を説明する。図２おいて踏み板３０を足で踏んで座板６の前方を上に上げる。Ｆ０の力が座板６に発生する。そうすると図３において、５の調節ブラケットの中の溝２０の中にあったピン１５は３の上側固定ブラケットが上方向に移動するので溝２０の中を右方向に動く。さらに座板２を上に上げるとピン１５は５の調節ブラケット中にある溝２２の中に陥没する。この時陥没の音がして、座板２を上昇するのをやめると椅子は２番目の高さの状態で安定する。【００１６】  椅子の高さを１段高くするために、座面の前側を上にあげるだけで、面倒な動作をしないで出来ることは、大変便利なことである。この時特別に、何ら高さをロックする必要がないのは本発明の重要な部分である。次の高さを設定するためには同じ動作を繰り返す。足で踏み板３０を足で踏んで座板６の前方を再度上に上げる。溝２２の中にあった１５のピンは傾斜面２３を駆け上がる。そして次の溝２５に陥没して止まる。椅子の高さは３番目の高さとなる。【００１７】  １５のピンがこの溝に安定的にとどまるためにはピンの直径が溝の深さＬより短い必要がある。ピンの直径がＬより大きいと座面に人が座ったとき１５のピンが２１の壁を超えて後方に下がる可能性があるからである。また１５のピンが次の溝に向かうためのは２３の角度は４５度くらいが良い。【００１８】  次に高さを元の位置にもどす方法について説明する。図５のＡは高さが一番高い状態である。この状態で背を前側に引く。背にはＦ１の力が発生する。そうすると、図５のＢのように１３の回転軸にＦ２の力が発生し第二リンク棒の先端にあるピン１５は溝２５から抜け出して５の調整ブラケットの前端上側の２６に衝突する。【００１９】  この時手を離すと、背を前方向に引っ張っていたＦ１がなくなり椅子の自重でＦ３が発生する。図６のＡ。Ｆ３の下向きの力により、第二リンク棒は１３を軸として右回転する。第二リンク棒が右回転することによりピン１５は５の調整ブラケットの穴の上端２７を図面左方向方に移動する。【００２０】  ２６の位置にあったピン１５がこの時元の位置２５に戻らないのが、本発明の最大の効果である。元の位置２５に戻らずに、５の調整ブラケットの溝の裏側２７を図面左方向に動くので椅子は最も低い高さとなる。理由はこのリンク構造で第二リンク棒が１３を支点として図面右方向に動こうとするからである。図６のＡ。
【実施例２】
【００２１】  次に請求項２の動作について説明する。前記までは椅子の高さが簡単に調整できるが１００％安全とは言えない。椅子の高さの解除するためには、椅子の座面を上方向に移動すればできるからである。座った状態で椅子の座面を上にあげることはないのであるが、第３者が故意に椅子の座面を上に移動することがない訳ではない。本発明は、いかなることがあっても高さが変更できにようにしたものである。【００２２】  図７でこれを説明する。調節ブラケット５の上側には穴４０，４１，４２が開いている。この穴にロックピン４３を上から差し込む。図面手前はロックピン４３を調節ブラケットに刺しこんだ状態である。２番目の高さで椅子は固定している。これを刺しこむとピン１５は後方に移動することはできないので高さは完全にロックされ安全である。【００２３】  高さが一番低い状態では、穴４０にロックピン４３を刺しこんでおき、高さ変更に合わせてロックピン４３を穴４１または穴４２に刺しこむとよい。
【実施例３】
【００２４】  一番低い状態での高さ調整は、２の下側固定ブラケットの上端と第一リンク棒の下端を接する状態で使用する。最下点の位置の決定はそれぞれの部材のあたる位置が不明確なのでこの方法が最も安定していると考えられる。
【符号の説明】
【００２５】  基台１  下側固定ブラケット２  上側固定ブラケット３  移動ブラケット４  調節ブラケット５  座板６  中心軸１３  ピン１５  溝２２  踏み板３０  ロックピン４３
【図１】
2019005528.tif 000003
【図２】
2019005528.tif 000004
【図３】
2019005528.tif 000005
【図４】
2019005528.tif 000006
【図５】
2019005528.tif 000007
【図６】
2019005528.tif 000008
【図７】
2019005528.tif 000009
【図８】
2019005528.tif 000010